(57)【要約】      （修正有）【課題】釣人が糸係止具の所定の場所に釣り糸を容易に配置し、且つ釣人が糸係止具の所定の場所で釣り糸を確実に保持できる糸係止具を、提供する。【解決手段】糸係止具７０は、スピニングリールのスプールに装着可能な装着部７１と、釣り糸を係止可能な係止具本体７２とを、有する。係止具本体７２は、本体部７３と、第１突出部７４と、第２突出部７５と、溝部７６とを、備える。本体部７３は、装着部７１から延設される。第１突出部７４は、本体部７３から突出する。第２突出部７５は、装着部７１及び第１突出部７４の間において、本体部７３から突出する。溝部７６は、第１突出部７４及び第２突出部７５の間において、本体部７３に凹状に形成される。【選択図】図３
2019118270.tif 000002
【特許請求の範囲】
【請求項１】
スピニングリールのスプールに装着可能な装着部と、釣り糸を係止可能な係止具本体とを有する糸係止具であって、
前記係止具本体は、
前記装着部から延設される本体部と、
前記本体部から突出する第１突出部と、
前記装着部及び前記第１突出部の間において前記本体部から突出する第２突出部と、
前記第１突出部及び前記第２突出部の間において前記本体部に凹状に形成される凹部と、
を備えるスピニングリールの糸係止具。
【請求項２】
前記本体部は、外縁部及び前記凹部の間に設けられるテーパ部と、前記装着部及び前記凹部の間において前記テーパ部から膨出する非テーパ部とを、有する、
請求項１に記載のスピニングリールの糸係止具。
【請求項３】
前記本体部は、外縁部の隅角部から前記装着部へと釣り糸を導くための導入面を、有する、
請求項１又は２に記載のスピニングリールの糸係止具。
【請求項４】
前記本体部は、前記装着部及び前記第２突出部の間に形成される表面と前記導入面とを接続する接続面を、さらに有する、
請求項３に記載のスピニングリールの糸係止具。
【請求項５】
前記係止具本体は、熱可塑性樹脂である、
請求項１から４のいずれか１項に記載のスピニングリールの糸係止具。
【請求項６】
釣り糸を外周面に巻き付け可能に構成される糸巻き胴部と、
前記糸巻き胴部に設けられ、前記糸巻き胴部より大径に構成されるスカート部と、
前記スカート部に配置される、請求項１から５のいずれか１項に記載の糸係止具と、
を備えるスピニングリールのスプール。
【請求項７】
前記スカート部及び前記糸係止具の間に配置され、釣り糸を配置可能な孔部を有するシート部材、
をさらに備える請求項６に記載のスピニングリールのスプール。
【請求項８】
釣り糸は、前記孔部において、前記凹部及び前記スカート部の間に配置される、
請求項７に記載のスピニングリールのスプール。
【請求項９】
前記孔部には、前記第１突出部及び前記第２突出部が、配置される、
請求項７又は８に記載のスピニングリールのスプール。
【請求項１０】
前記シート部材は、前記装着部及び前記第２突出部の間に形成される前記本体部の表面に対して、接触可能に構成され、
釣り糸は、前記表面及び前記シート部材の間に配置される、
請求項７から９のいずれか１項に記載のスピニングリールのスプール。
【請求項１１】
前記スカート部は、釣り糸を配置可能な穴部を、有する、
をさらに備える請求項６に記載のスピニングリールのスプール。
【請求項１２】
釣り糸は、前記穴部及び前記凹部の間に配置される、
請求項１１に記載のスピニングリールのスプール。
【請求項１３】
前記穴部には、前記第１突出部及び前記第２突出部が、配置される、
請求項１１又は１２に記載のスピニングリールのスプール。
【請求項１４】
前記スカート部は、前記装着部及び前記第２突出部の間に形成される前記本体部の表面に対して、接触可能に構成され、
釣り糸は、前記表面及び前記スカート部の表面の間に配置される、
請求項１１から１３のいずれか１項に記載のスピニングリールのスプール。
【発明の詳細な説明】
【技術分野】
【０００１】
本発明は、スピニングリールの糸係止具及びそれを用いたスピニングリールのスプールに関するものである。
【背景技術】
【０００２】
従来のスピニングリールのスプールは、糸巻き胴部及びスカート部を、有する。スカート部には、糸係止具及びシート部材が設けられている（特許文献１を参照）。糸係止具は、釣り糸の端部を止めるためのものである。糸係止具には、糸係止具をスカート部に装着するための装着部、装着部から延設される本体部、釣り糸の離脱を規制するための突出部、及び釣り糸を配置可能な凹部が、設けられている。シート部材は、糸係止具及びスカート部の間に配置される。釣り糸は、糸係止具及びシート部材の間に配置される。
【先行技術文献】
【特許文献】
【０００３】
【特許文献１】特開２０１７−２０１８８８号公報
【発明の概要】
【発明が解決しようとする課題】
【０００４】
従来の糸係止具では、本体部（特許文献１における係止部）の下面において、装着部（特許文献１における取付部）との接続位置よりもスプールの糸巻胴部寄りの位置に配置された突出部（特許文献１における第１突出部）と、装着部との接続位置よりもスプールの糸巻胴部から離れた位置に配置された突出部（特許文献１における第２突出部）とが、設けられている。
【０００５】
すなわち、これら２つの突出部（特許文献１の第１突出部及び第２突出部）は、装着部の両側に各別に設けられている。この場合、各突出部及び装着部の間の距離を異ならせることによって、細径及び太径の釣り糸を個別に係止することができる。さらに、太径の釣り糸用には、本体部及び装着部の接続位置よりもスプールの糸巻胴部から離れた位置に配置された突出部（特許文献１の第２突出部）と装着部との間に、釣り糸を収容する凹部が、設けられている。
【０００６】
このような従来の糸係止具の構成では、釣り糸が細径であるか太径であるかによって、釣り糸は、装着部の両側それぞれに係止される。このため、釣人は、細径の釣り糸を太糸用の装着範囲（特許文献１における取付部及び第２突出部の間の範囲）に装着したり、太径の釣り糸を細糸用の装着範囲（特許文献１における取付部及び第１突出部の間の範囲）に装着したりするおそれがある。すると、釣り糸が、確実に係止できないという問題点がある。
【０００７】
特に、従来の糸係止具の構成では、太径用の装着範囲には、太径の釣り糸を収容する凹部が設けられている。このため、極太径の釣り糸の場合は、凹部に収容されるが、通常の太径の釣り糸の場合は、凹部に収容されずに装着部側でのみ係止されてしまうおそれがある。すなわち、釣り糸が、太糸用の装着範囲において移動可能であるため、釣り糸の係止位置が安定せず、確実に係止ができないという問題点があった。
【０００８】
本発明は、上記の問題に鑑みてなされたものであって、本発明の目的は、釣人が糸係止具の所定の場所に釣り糸を容易に配置し、且つ釣人が糸係止具の所定の場所で釣り糸を確実に保持できる糸係止具を、提供することにある。
【課題を解決するための手段】
【０００９】
本発明の一側面に係る糸係止具は、スピニングリールのスプールに装着可能な装着部と、釣り糸を係止可能な係止具本体とを、有する。係止具本体は、本体部と、第１突出部と、第２突出部と、凹部とを、備える。本体部は、装着部から延設される。第１突出部は、本体部から突出する。第２突出部は、装着部及び第１突出部の間において、本体部から突出する。凹部は、第１突出部及び第２突出部の間において、本体部に凹状に形成される。
【００１０】
本糸係止具では、太径の釣り糸の場合は、釣り糸が、第１突出部を通過すると、第１突出部及び第２突出部の間の凹部に配置される。この場合、第１突出部及び第２突出部によって、釣り糸の抜け出しが規制される。また、細径の釣り糸の場合は、第１突出部を通過した後、第２突出部を通過する。これにより、第２突出部及び装着部の間に配置される。この場合、第２突出部及び装着部によって釣り糸の抜け出しが規制される。このように、本糸係止具では、釣人は、糸係止具の所定の場所に、釣り糸を容易に配置することができる。また、釣人は、糸係止具の所定の場所で、細径の釣り糸であっても、太径の釣り糸であっても確実に保持することができる。
【００１１】
本発明の他の側面に係る糸係止具では、本体部が、外縁部及び凹部の間に設けられるテーパ部と、装着部及び凹部の間においてテーパ部から膨出する非テーパ部とを、有することが好ましい。
【００１２】
この場合、釣人は、テーパ部を用いて、釣り糸を外縁部から凹部に向けて容易に案内することができる。また、非テーパ部では、釣人は、釣り糸を第２突出部及び装着部の間に直接的に配置することができる。
【００１３】
本発明の他の側面に係る糸係止具では、本体部が、外縁部の隅角部から装着部へと釣り糸を導くための導入面を、有することが好ましい。
【００１４】
この場合、釣人は、導入面を用いて、釣り糸を外縁部の隅角部から装着部に向けて容易に導くことができる。
【００１５】
本発明の他の側面に係る糸係止具では、本体部が、装着部及び第２突出部の間に形成される表面と導入面とを接続する接続面を、さらに有することが好ましい。
【００１６】
この場合、釣り糸が係止具本体から取り外される場合に、釣り糸を、接続面によって、装着部及び第２突出部の間に形成される表面から、導入面へとスムーズに案内することができる。
【００１７】
本発明の他の側面に係る糸係止具では、係止具本体が熱可塑性樹脂であることが好ましい。
【００１８】
この場合、係止具本体をプラスチック材料で形成する場合と比較して、釣り糸を、係止具本体にスムーズに止めることができ、且つ係止具本体から外れにくくすることができる。
【００１９】
本発明の一側面に係るスピニングリールのスプールは、糸巻き胴部と、スカート部と、上述した糸係止具とを、備える。糸巻き胴部は、釣り糸を外周面に巻き付け可能に構成される。スカート部は、糸巻き胴部に設けられ、糸巻き胴部より大径に構成される。糸係止具は、スカート部に配置される。
【００２０】
本スプールでは、上述した糸係止具を有しているので、釣人は、糸係止具の所定の場所に、釣り糸を容易に配置することができる。また、釣人は、糸係止具の所定の場所で、釣り糸を確実に保持することができる。
【００２１】
本発明の他の側面に係るスピニングリールのスプールは、シート部材をさらに備える。シート部材は、スカート部及び糸係止具の間に配置される。シート部材は、釣り糸を配置可能な孔部を、有する。
【００２２】
この場合、釣り糸をシート部材の孔部に配置することによって、釣り糸の抜け出しを確実に防止することができる。
【００２３】
本発明の他の側面に係るスピニングリールのスプールでは、釣り糸が、孔部において、凹部及びスカート部の間に配置されることが好ましい。
【００２４】
この場合、釣り糸を、孔部に配置した状態で、凹部及びシート部材によって確実に挟持させることができる。
【００２５】
本発明の他の側面に係るスピニングリールのスプールでは、第１突出部及び第２突出部が、孔部に配置されることが好ましい。
【００２６】
この場合、スカート部からの糸係止具の突出量を大きくすることなく、糸係止具をスカート部に装着することができる。
【００２７】
本発明の他の側面に係るスピニングリールのスプールでは、シート部材が、装着部及び第２突出部の間に形成される本体部の表面に対して、接触可能に構成されることが好ましい。釣り糸は、装着部及び第２突出部の間に形成される本体部の表面、及びシート部材の間に、配置される。
【００２８】
この場合、釣り糸を、装着部及び第２突出部の間に形成される本体部の表面、及びシート部材によって、確実に挟持させることができる。
【００２９】
本発明の他の側面に係るスピニングリールのスプールでは、スカート部が、釣り糸を配置可能な穴部を、有することが好ましい。
【００３０】
この場合、釣り糸をスカート部の孔部に配置することによって、釣り糸の抜け出しを確実に防止することができる。
【００３１】
本発明の他の側面に係るスピニングリールのスプールでは、釣り糸は、穴部及び凹部の間に配置される。
【００３２】
この場合、釣り糸を、穴部に配置した状態で、凹部及びスカート部の表面によって確実に挟持させることができる。
【００３３】
本発明の他の側面に係るスピニングリールのスプールでは、第１突出部及び第２突出部が、穴部に配置されることが好ましい。
【００３４】
この場合、スカート部からの糸係止具の突出量を大きくすることなく、糸係止具をスカート部に装着することができる。
【００３５】
本発明の他の側面に係るスピニングリールのスプールでは、スカート部が、装着部及び第２突出部の間に形成される本体部の表面に対して、接触可能に構成されることが好ましい。釣り糸は、装着部及び第２突出部の間に形成される本体部の表面、及びスカート部の表面の間に配置される。
【００３６】
この場合、釣り糸を、装着部及び第２突出部の間に形成される本体部の表面、及びスカート部の表面によって、確実に挟持させることができる。
【発明の効果】
【００３７】
本発明によれば、釣人が糸係止具の所定の場所に釣り糸を容易に配置し、且つ釣人が糸係止具の所定の場所で釣り糸を確実に保持できる。
【図面の簡単な説明】
【００３８】
【図１】本発明の一実施形態が採用されたスピニングリールの側面図。
【図２】スプールに装着された糸係止具の外観斜視図。
【図３】スプールに装着された糸係止具の拡大断面図。
【図４】糸係止具の外観斜視図。
【図５】糸係止具の側面図。
【図６Ａ】細径の釣り糸の係止形態を説明するための図。
【図６Ｂ】細径の釣り糸の係止形態を説明するための図。
【図７Ａ】太径の釣り糸の係止形態を説明するための図。
【図７Ｂ】太径の釣り糸の係止形態を説明するための図。
【図８】本発明の変形例における、スプールに装着された糸係止具の拡大断面図。
【発明を実施するための形態】
【００３９】
本発明の一実施形態を採用したスピニングリール１は、図１に示すように、リール本体２と、ロータ３と、スプール４とを備える。
【００４０】
リール本体２は、ハンドル５を回転可能に支持する。ロータ３は、スプール４に釣り糸を巻き付けるためのものである。ロータ３は、リール本体２に回転可能に支持される。スプール４には、釣り糸が巻き付けられる。
【００４１】
以下では、ロータ３の回転中心Ｏが延びる方向を、“軸方向”と記す。軸方向において、釣り糸が繰り出される方向を“前方”と定義し、“前方”とは反対の方向を“後方”と定義する。
【００４２】
ロータ３の回転中心Ｏを基準とした円において、ロータ３の回転中心Ｏから離れる方向を、“径方向”と定義する。ロータ３の回転中心Ｏを基準とした円において、ロータ３の回転中心Ｏまわりの方向を、“周方向”と定義する。
【００４３】
スプール４は、ロータ３に対して前後方向に移動可能なように、スプール軸（図示しない）を介してリール本体２に装着される。なお、スプール軸の軸心は、ロータ３の回転中心Ｏと同心である。
【００４４】
スプール４は、糸巻き胴部４１と、前フランジ部４２と、スカート部４３と、糸係止具７０とを、備える。スプール４は、シート部材８０を、さらに備える。
【００４５】
糸巻き胴部４１は、釣り糸を外周面に巻き付け可能に構成される。例えば、糸巻き胴部４１は、実質的に筒状に形成される。前フランジ部４２は、糸巻き胴部４１の前部に一体に形成される。前フランジ部４２は、糸巻き胴部４１より大径に形成される。前フランジ部４２は、糸巻き胴部４１から径方向外側に突出し、実質的に環状に形成される。
【００４６】
図１〜図３に示すように、スカート部４３は、糸巻き胴部４１の後部に一体に形成される。スカート部４３は、糸巻き胴部４１より大径に形成される。スカート部４３は、糸巻き胴部４１から径方向外側に突出する後フランジ部４４と、後フランジ部４４から軸方向に延びる筒部４５とを、有する（図３を参照）。
【００４７】
図２及び図３に示すように、筒部４５には、凹部４５ａと、貫通孔４５ｂとが、形成される。凹部４５ａは、筒部４５の外周面から径方向内側に凹んで形成されている。凹部４５ａには、糸係止具７０例えば係止具本体７２（後述する）が配置される。貫通孔４５ｂは、凹部４５ａの底部に形成されている（図３を参照）。詳細には、貫通孔４５ｂは、凹部４５ａの底部から径方向内側に向けて、筒部４５を貫通している。貫通孔４５ｂは、多角形状に形成される。ここでは、貫通孔４５ｂは、実質的に矩形状に形成される。貫通孔４５ｂには、後述する糸係止具７０の装着部７１（後述する）が挿通される。
【００４８】
（糸係止具）
糸係止具７０は、スプール４に装着可能に構成される。図２及び図３に示すように、糸係止具７０は、スカート部４３に配置される。糸係止具７０は、例えばエラストマーのような熱可塑性樹脂によって成形される。糸係止具７０は、スプール４に装着可能な装着部７１と、釣り糸を係止可能な係止具本体７２とを有する。
【００４９】
−装着部−
図３に示すように、装着部７１は、スプール４に装着される部分である。装着部７１は、係止具本体７２に設けられる。例えば、装着部７１は、係止具本体７２と一体に形成される。装着部７１は、係止具本体７２から突出する。装着部７１は、一方向に長く形成されている。装着部７１の断面は、多角形状に形成される。ここでは、装着部７１は、実質的に矩形状に形成される。
【００５０】
装着部７１は、シート部材８０の第１孔部８０ａ（後述する）及びスカート部４３の貫通孔４５ｂに挿通される。装着部７１の先端部７１ａは、固定部材例えばネジ部材によって、スカート部４３の後面例えば後フランジ部４４の後面に、固定される。ここでは、“装着部７１の先端部がスカート部４３の後面（後フランジ部４４の後面）に固定される”と記したが、“装着部７１の先端部が糸巻き胴部４１に固定される”と解釈してもよい。
【００５１】
−糸係止具本体−
係止具本体７２は、釣り糸を係止可能に構成される。図２及び図３に示すように、係止具本体７２は、装着部７１と一体に形成される（図３を参照）。係止具本体７２は、スカート部４３に配置される。詳細には、係止具本体７２は、筒部４５の凹部４５ａに配置される。
【００５２】
図３及び図４に示すように、係止具本体７２は、本体部７３と、第１突出部７４と、第２突出部７５と、溝部７６（凹部の一例）とを、備える。本体部７３は、スプールの糸巻き胴部４１から離れる方向に、装着部７１から延設される。例えば、本体部７３は、装着部７１の基端部を取り囲むように、実質的に板状に形成される。本体部７３は、スカート部４３の筒部４５に対向して配置される。詳細には、本体部７３は、シート部材８０を介して、筒部４５の凹部４５ａに対向して配置される。
【００５３】
図４に示すように、本体部７３は、装着側端部７３ａと、挿入側端部７３ｂとを、有する。装着側端部７３ａには、装着部７１が設けられる。挿入側端部７３ｂは、先細り形状に形成されている。釣り糸は、挿入側端部７３ｂから装着側端部７３ａの装着部７１に向けて、挿入される。
【００５４】
図４に示すように、本体部７３は、第１表面７３ｃと、第２表面７３ｄとを、さらに有する。第１表面７３ｃは、挿入側端部７３ｂと第１突出部７４との間に設けられる。第１表面７３ｃは、スカート部４３例えば凹部４５ａの底部と間隔を隔てて配置される（図３を参照）。第１表面７３ｃ及びスカート部４３の凹部４５ａの底部との間には、シート部材８０が配置される。第１表面７３ｃは、シート部材８０に接触する。
【００５５】
第２表面７３ｄは、第２突出部７５と装着部７１との間に設けられる。第２表面７３ｄは、第１表面７３ｃと面一に形成される。第２表面７３ｄは、スカート部４３例えば凹部４５ａの底部と間隔を隔てて、配置される（図３を参照）。第２表面７３ｄ及びスカート部４３の凹部４５ａの底部ＢＬとの間には、シート部材８０が配置される。
【００５６】
第２表面７３ｄは、シート部材８０に接触する。これにより、釣り糸が第２表面７３ｄ及びシート部材８０の間に配置された場合、釣り糸は、第２表面７３ｄ及びシート部材８０によって、挟持される。
【００５７】
図４に示すように、本体部７３は、テーパ部７３ｅと、非テーパ部７３ｆとを、さらに有する。テーパ部７３ｅは、外縁部７３ｇから第１突出部７４に向けて釣り糸を導く。テーパ部７３ｅは、外縁部７３ｇ及び第１突出部７４の間に、設けられる。また、テーパ部７３ｅは、外縁部７３ｇ及び溝部７６の間に、設けられる。
【００５８】
テーパ部７３ｅは、傾斜面であり、外縁部７３ｇ及び第１表面７３ｃと、外縁部７３ｇ及び溝部７６の底部とを、接続する。例えば、テーパ部７３ｅは、挿入側端部７３ｂの外縁部７３ｇ及び第１突出部７４の間において、外縁部７３ｇから第１表面７３ｃに向けて延びる。また、テーパ部７３ｅは、挿入側端部７３ｂの外縁部７３ｇ及び溝部７６の間において、外縁部７３ｇから溝部７６の底部に延びる。
【００５９】
非テーパ部７３ｆは、装着部７１及び溝部７６の間の外縁部を、形成する。非テーパ部７３ｆは、装着部７１及び溝部７６の間において、テーパ部７３ｅから膨出する。非テーパ部７３ｆは、シート部材８０に接触する。非テーパ部７３ｆがシート部材８０に接触する部分は、第２表面７３ｄに含まれる。
【００６０】
図４及び図５に示すように、本体部７３は、導入面７３ｈと、接続面７３ｉとを、さらに有する。導入面７３ｈは、装着側端部７３ａにおける外縁部７３ｇの隅角部７３ｊから装着部７１へと釣り糸を導く。導入面７３ｈは、装着側端部７３ａに設けられる。
【００６１】
例えば、導入面７３ｈは、装着側端部７３ａにおける外縁部７３ｇの隅角部７３ｊ及び装着部７１の間において、装着側端部７３ａに設けられる。導入面７３ｈは、隅角部７３ｊから装着部７１に向けて凹状に湾曲しながら、装着部７１に接続する。また、導入面７３ｈは、接続面７３ｉにも接続する。
【００６２】
図５に示すように、導入面７３ｈは、径方向において、スカート部４３例えば凹部４５ａの底部ＢＬと間隔を隔てて、配置される。また、導入面７３ｈ及びシート部材８０の間には、釣り糸を隅角部７３ｊから接続面７３ｉに導入するための空間が、設けられる。
【００６３】
図４及び図５に示すように、接続面７３ｉは、第２表面７３ｄ（導入面７３ｈ）から導入面７３ｈ（第２表面７３ｄ）へと釣り糸を導く。接続面７３ｉは、装着側端部７３ａに設けられる。
【００６４】
例えば、接続面７３ｉは、装着部７１の隅角部の近傍において、装着側端部７３ａに設けられる。接続面７３ｉは、第２表面７３ｄと導入面７３ｈとを接続する。詳細には、接続面７３ｉは、非テーパ部７３ｆによって形成される第２表面７３ｄと、導入面７３ｈとを接続する。
【００６５】
ここでは、図５に示すように、糸係止具７０を側方視した場合において、接続面７３ｉ及び第２表面７３ｄのなす最小角度が鈍角になるように、接続面７３ｉは形成される。これにより、釣り糸を非テーパ部７３ｆに干渉させることなく、釣り糸を導入面７３ｈ（第２表面７３ｄ）から第２表面７３ｄ（導入面７３ｈ）へと案内することができる。
【００６６】
接続面７３ｉは、径方向において、スカート部４３例えば凹部４５ａの底部ＢＬと間隔を隔てて、配置される。また、接続面７３ｉ及びシート部材８０の間には、釣り糸を導入面７３ｈ（第２表面７３ｄ）から第２表面７３ｄ（導入面７３ｈ）へと案内するための空間が、設けられる。
【００６７】
第１突出部７４は、溝部７６及びシート部材８０の間に配置された釣り糸の抜け出しを規制する。図４及び図５に示すように、第１突出部７４は、本体部７３から突出する。詳細には、第１突出部７４は、本体部７３の第１表面７３ｃから突出する。第１突出部７４は、溝部７６に沿って延びる（図４を参照）。
【００６８】
第２突出部７５は、第２表面７３ｄ及びシート部材８０の間に配置された釣り糸の抜け出しを規制する。図４及び図５に示すように、第２突出部７５は、装着部７１及び第１突出部７４の間において、本体部７３から突出する。詳細には、第２突出部７５は、本体部７３の第２表面７３ｄから突出する。第２突出部７５は、第１突出部７４と間隔を隔てて配置され、溝部７６に沿って延びる（図４を参照）。
【００６９】
溝部７６には、釣り糸が配置可能である。図４及び図５に示すように、溝部７６は、第１突出部７４及び第２突出部７５の間において、本体部７３に形成される。溝部７６は、第１表面７３ｃ及び第２表面７３ｄを基準として、凹状に形成される。
【００７０】
図３に示すように、溝部７６は、シート部材８０を介して、スカート部４３の凹部４５ａに対向して配置される。図５に示すように、溝部７６の底部とスカート部４３の凹部４５ａの底部ＢＬとの間隔Ｄ１は、第２表面７３ｄとスカート部４３における凹部４５ａの底部ＢＬとの間隔Ｄ２より、大きい。
【００７１】
溝部７６における両端部の底部及びシート部材８０の間には、釣り糸を挟持するための第１隙間Ｓ１が、形成される。また、溝部７６における中央部の底部及びスカート部４３の凹部４５ａの底部ＢＬの間には、シート部材８０の第２孔部８０ｂ（後述する）が、配置される。これにより、溝部７６における中央部の底部及びスカート部４３の凹部４５ａの底部ＢＬの間には、釣り糸を配置するための第２隙間Ｓ２が、形成される。第２隙間Ｓ２は、第１隙間Ｓ１より大きい。
【００７２】
（シート部材）
図２及び図３に示すように、シート部材８０は、スカート部４３及び糸係止具７０の間に、配置される。詳細には、シート部材８０は、スカート部４３の凹部４５ａ及び糸係止具７０の間に、配置される。
【００７３】
図３に示すように、シート部材８０は、第２表面７３ｄに対して、接触可能に構成される。ここでは、シート部材８０は、第１表面７３ｃに対しても、接触可能に構成される。シート部材８０は、実質的に板状に形成される。
【００７４】
シート部材８０は、第１孔部８０ａと、第２孔部８０ｂ（孔部の一例）とを、有する。第１孔部８０ａは、多角形状に形成される。ここでは、第１孔部８０ａは、実質的に矩形状に形成される。第１孔部８０ａは、スカート部４３の貫通孔４５ｂに対向して配置される。第１孔部８０ａには、糸係止具７０の装着部７１が挿通される。
【００７５】
第２孔部８０ｂには、釣り糸が配置可能である。第２孔部８０ｂには、第１突出部７４及び第２突出部７５が配置される。糸係止具７０の溝部７６の中央部は、第２孔部８０ｂを介して、スカート部４３の凹部４５ａの底部ＢＬと間隔を隔てて、配置される。糸係止具７０の溝部７６の中央部及びスカート部４３の凹部４５ａの底部ＢＬの間には、釣り糸が配置される。
【００７６】
（釣り糸の係止形態）
釣り竿からスピニングリール１を外した後には、釣り糸がスプール４から解けないように、釣り糸の先端部が糸係止具７０に係止される。以下では、説明を容易にするために、釣り糸が細径である場合と、釣り糸が太径である場合との２つの場合に分けて、説明が行われる。
【００７７】
例えば、釣り糸が太径である場合、図７Ａに示すように、まず、釣り糸は、導入面７３ｈによって、係止具本体７２の装着側端部７３ａの隅角部７３ｊから装着部７１に向けて、導かれる。そして、この太径の釣り糸は、導入面７３ｈから接続面７３ｉへと案内され、非テーパ部７３ｆの外側に配置される。
【００７８】
次に、図７Ｂに示すように、太径の釣り糸は、テーパ部７３ｅによって、係止具本体７２の挿入側端部７３ｂから第１突出部７４に向けて、案内される。そして、この太径の釣り糸は、第１突出部７４及びシート部材８０の間を通過する。すると、この釣り糸は、第１突出部７４及び第２突出部７５の間の溝部７６に配置される。
【００７９】
すると、太径の釣り糸の一部は、シート部材８０の第２孔部８０ｂを介して、溝部７６における中央部の底部及びスカート部４３の凹部４５ａの底部の間に、配置される。また、釣り糸の他の部分は、溝部７６における両端部の底部及びシート部材８０の表面によって、挟持される。このようにして、太径の釣り糸は、第１突出部７４によって、導入側への移動を阻止されるので、係止が外れることがない。また、第２突起部７５によって、装着側への移動も阻止されるので、太径の釣り糸の係止位置が安定し、太径の釣り糸を糸係止具７０によって確実に係止される。
【００８０】
一方で、釣り糸が細径である場合、図６Ａに示すように、まず、細径の釣り糸は、導入面７３ｈによって、係止具本体７２の装着側端部７３ａの隅角部７３ｊから装着部７１に向けて、導かれる。そして、この細径の釣り糸は、導入面７３ｈから接続面７３ｉへと案内され、接続面７３ｉから第２表面７３ｄへと案内される。これにより、釣り糸は、非テーパ部７３ｆ上の第２表面７３ｄ及びシート部材８０の表面によって、一時的に挟持される。
【００８１】
次に、図６Ｂに示すように、細径の釣り糸は、テーパ部７３ｅによって、係止具本体７２の挿入側端部７３ｂから第１突出部７４に向けて、案内される。そして、この細径の釣り糸は、第１突出部７４及びシート部材８０の間、溝部７６及びシート部材８０の間、及び第２突出部７５及びシート部材８０の間を、通過する。すると、釣り糸は、第２表面７３ｄ及びシート部材８０の表面によって、挟持される。このように、細径の釣り糸は、第２突出部７４によって、導入側への移動を阻止されるので、溝部７６及びシート部材８０の間へ、さらに移動して係止が外れることがない。このため、細径の釣り糸の係止位置が安定し、細径の釣り糸を糸係止具７０によって確実に係止される。
【００８２】
すなわち、糸係止具７０では、釣り糸が細径である場合、釣り糸は、第２表面７３ｄ及びシート部材８０の表面によって、係止される。一方で、釣り糸が太径である場合、釣り糸は、溝部７６における中央部の底部及びスカート部４３の表面（凹部４５ａの底部）に配置された状態で、溝部７６における両端部の底部及びシート部材８０の表面によって係止される。このように、釣り糸が細径及び太径のいずれであっても、釣り糸の係止位置が安定し、釣り糸を糸係止具７０によって確実に係止することができる。
【００８３】
なお、接続面７３ｉは、釣り糸を係止する際に、第２表面７３ｄ（導入面７３ｈ）から導入面７３ｈ（第２表面７３ｄ）へと釣り糸を導くだけでなく、係止された釣り糸を外す際にも、釣り糸が第２表面７３ｄに引っ掛からないようにするためにも有用である。特に、細径の釣り糸の場合、装着部７１側の端部に係止されたとしても、釣り糸が折れ曲がりにくくなるので、釣り糸に負担（負荷）をかけることなく釣り糸を確実に係止できる。
【００８４】
＜変形例＞
前記実施形態では、糸係止具７０がシート部材８０を介してスカート部４３に配置される場合の一例を、示した。これに代えて、シート部材８０を用いることなく、糸係止具７０をスカート部１４３に配置してもよい。
【００８５】
この場合、図８に示すように、スカート部１４３は、釣り糸を配置可能な穴部１４３ａ（孔部の一例）を、有する。穴部１４３ａは、凹部４５ａの底部に凹状に形成される。釣り糸は、糸係止具７０の溝部７６及び穴部１４３ａの間に、配置可能である。穴部１４３ａには、糸係止具７０の第１突出部７４及び第２突出部７５が、配置される。なお、ここでは、穴部１４３ａが有底穴部である場合の例を示すが、穴部１４３ａは貫通孔でもよい。
【００８６】
スカート部１４３は、糸係止具７０の第２表面７３ｄに対して接触可能に構成される。詳細には、糸係止具７０がスプール４に装着された状態において、スカート部１４３の凹部４５ａの底部は、糸係止具７０の第１表面７３ｃ及び第２表面７３ｄに対して接触する。
【００８７】
この構成においても、釣り糸は、前記実施形態と同様に、糸係止具７０によって係止される。例えば、釣り糸が細径である場合、釣り糸は、糸係止具７０の第２表面７３ｄ及びスカート部１４３の外周面によって挟持される。一方で、例えば、釣り糸が太径である場合、釣り糸の一部が、溝部７６における中央部の底部及び穴部１４３ａの底部の間に、配置される。また、釣り糸の他の部分は、溝部７６における両端部の底部及びスカート部１４３の外周面によって、挟持される。このように構成しても、前記実施形態と同様に、釣り糸を、糸係止具７０を用いて、スプール４に係止することができる。
【００８８】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００８９】
（ａ）前記実施形態では、係止具本体７２及び装着部７１が一体に形成される場合の例を示したが、係止具本体７２及び装着部７１が別体で形成されてもよい。この場合、係止具本体７２は、例えばエラストマーのような熱可塑性樹脂によって成形される。装着部７１は、係止具本体７２と同じ材質であっても、係止具本体７２と異なる材質であってもよい。
【００９０】
（ｂ）前記実施形態では、説明を容易にするために、釣り糸が細径である場合と、釣り糸が太径である場合とに分けて、釣り糸の係止形態が説明された。しかし、釣り糸は、その太さに関係なく、第２表面７３ｄ及びこの第２表面７３ｄに対向する部分の間と、溝部７６及びこの溝部７６に対向する部分との間とで、挟持させることができる。
【００９１】
ここで、第２表面７３ｄに対向する部分、及び溝部７６に対向する部分は、シート部材８０の表面に対応する。なお、変形例では、第２表面７３ｄに対向する部分、及び溝部７６に対向する部分は、スカート部１４３の外周面に対応する。
【００９２】
（ｃ）前記実施形態では、釣り糸が、第２孔部８０ｂ（又は穴部１４３ａ）に配置される場合の例を示した。この場合、釣り糸は、単に第２孔部８０ｂ（又は穴部１４３ａ）に配置されるだけもよいし、第２孔部８０ｂ（又は穴部１４３ａ）において溝部７６の底部とスカート部４３，１４３の外周面とによって、挟持されてもよい。
【符号の説明】
【００９３】
１    スピニングリール
４    スプール
４１  糸巻き胴部
４３  スカート部
７０  糸係止具
７１  装着部
７２  係止具本体
７３  本体部
７４  第１突出部
７５  第２突出部
７６  溝部（凹部の一例）
８０  シート部材
８０ａ  第１孔部
８０ｂ  第２孔部（孔部の一例）
１４３ａ  穴部（孔部の一例）
【図１】
2019118270.tif 000003
【図２】
2019118270.tif 000004
【図３】
2019118270.tif 000005
【図４】
2019118270.tif 000006
【図５】
2019118270.tif 000007
【図６Ａ】
2019118270.tif 000008
【図６Ｂ】
2019118270.tif 000009
【図７Ａ】
2019118270.tif 000010
【図７Ｂ】
2019118270.tif 000011
【図８】
2019118270.tif 000012